(57)【特許請求の範囲】
【請求項１】
被洗浄車両を跨ぐ門型の洗車機本体と、被洗浄車両を跨ぐ本体架台に配管部と噴射ノズルを備えた液剤噴射走行体を具備して高発泡液剤散布操作を含む所定の操作を行う散布装置と、を有し、被洗浄車両と前記散布装置を前後方向に相対移動させながら被洗浄車両に高発泡液剤を散布し、被洗浄車両と洗車機本体を前後方向に相対移動させながら被洗浄車両の洗車を行う洗車機であって、
前記液剤噴射走行体は洗車機本体を跨いで前後方向に移動可能に構成され、
前記散布装置が所定の操作を実行する時は、前記液剤噴射走行体が被洗浄車両を跨いで前後方向に移動して所定の操作を実行し、
前記散布装置が所定の操作を実行しない時は、前記液剤噴射走行体は前記噴射ノズルが洗車機本体の上部に在る位置に移動し、洗車機本体が移動する際には洗車機本体と共に移動することを特徴とする洗車機。
【請求項２】
洗車機本体に前記噴射ノズルから滴り落ちる高発泡液剤を貯留する天板を設けたことを特徴とする請求項１に記載の洗車機。
【請求項３】
前記散布装置は、前記噴射ノズルから洗浄水を高圧で噴射する高圧スプレー手段を備えて、高圧泡濯ぎ操作を実行可能とされ、高圧泡濯ぎ操作を実施した後は、前記散布装置は洗車機本体を跨ぐ位置に移動して洗車機本体と共に移動することを特徴とする請求項１または２に記載の洗車機。
【請求項４】
洗車機本体と前記散布装置とが共に待機位置にあるときは、前記噴射ノズルは洗車機本体の上部に位置していることを特徴とする請求項１から３のいずれかに記載の洗車機。
【請求項５】
洗車機本体と前記散布装置とが共に洗車完了位置にあるときは、前記噴射ノズルは洗車機本体の上部に位置していることを特徴とする請求項１から４のいずれかに記載の洗車機。
【請求項６】
被洗浄車両を跨ぐ門型の洗車機本体と、被洗浄車両および洗車機本体を跨ぐ本体架台に配管部と噴射ノズルを備えた液剤噴射走行体を具備して高発泡液剤散布操作を含む所定の操作を行う散布装置と、を有し、被洗浄車両と散布装置を前後方向に相対移動させながら被洗浄車両に高発泡液剤を散布する高発泡液剤散布操作と、被洗浄車両と洗車機本体を前後方向に相対移動させながら被洗浄車両の洗車を行う洗車操作と、を実行する洗車機の洗車方法であって、
前記液剤噴射走行体は洗車機本体を跨いで前後方向に移動可能に構成され、
前記散布装置が所定の操作を実行する時は、前記液剤噴射走行体が被洗浄車両を跨いで前後方向に移動して所定の操作を実行し、
前記散布装置が所定の操作を実行しない時には、前記散布装置を前記噴射ノズルが洗車機本体の上部に在る位置に移動して洗車機本体と共に移動させながら、洗車機本体を用いた洗車操作を実行することを特徴とする洗車方法。
【請求項７】
前記散布装置は、噴射ノズルから洗浄水を高圧で噴射する高圧泡濯ぎ操作を実行可能とされ、高圧泡濯ぎ操作を実施した後は、前記散布装置は洗車機本体を跨ぐ位置に移動して洗車機本体と共に移動することを特徴とする請求項６に記載の洗車方法。
【請求項８】
洗車機本体と前記散布装置とが共に待機位置にあるときは、前記噴射ノズルは洗車機本体の上部に位置し、洗車機本体と前記散布装置とが共に洗車完了位置にあるときは、前記噴射ノズルは洗車機本体の上部に位置していることを特徴とする請求項６または７に記載の洗車方法。
【発明の詳細な説明】
【技術分野】
【０００１】
本発明は、例えば給油所に設置され洗車に使用される洗車機に関し、特に、門型の洗車機本体に加えて高発泡液剤を散布する散布装置を備えた洗車機および当該洗車機の洗車方法に関する。
【背景技術】
【０００２】
従来、洗車に使用される洗車機としては、給油所などに設置されて、被洗浄車両と洗車機本体を前後方向に相対移動させながら、被洗浄車両に貯液タンクに貯留された液剤や洗浄水を噴射し、ブラッシングして洗車を行う構成とされる門型洗車機が知られている。
【０００３】
また、洗車性能を向上させ、見る人に実際に良好に洗車していることが強調できるように、門型の洗車機本体に加えて、高発泡液剤を散布する散布装置を備えた洗車設備が既に知られている（例えば、特許文献１、特許文献２参照）。
【０００４】
特許文献１および特許文献２に記載の洗車設備は、共に、往復走行移動する門型の洗車機本体と、洗車機本体とは別に往復走行移動する処理装置（散布装置）を備えた構成であり、処理装置の支持構造体（本体架台）は洗車機本体を跨ぐ高さ位置に設置され、洗車機本体の走行移動を阻害しないように構成されている。
【０００５】
そのために、所定の洗車位置に停車している被洗浄車両に対して、処理装置（散布装置）と洗車機本体とが連続して被洗浄車両を跨いで走行移動可能になり、処理装置（散布装置）が備える複数の噴射ノズルから高発泡液剤を一斉に散布して被洗浄車両の外面を高発泡液剤で一様に被覆した後に続いて、洗車機本体による洗車操作を実行できる。
【先行技術文献】
【特許文献】
【０００６】
【特許文献１】特許第５２２９６３８号公報
【特許文献２】特許第５２２９６３９号公報
【発明の概要】
【発明が解決しようとする課題】
【０００７】
処理装置を介して行う高発泡液剤の散布は、洗車機本体によるブラッシング洗浄の前に行う。そのために、ブラッシング洗浄が終わり水洗いをして乾燥させた後の被洗浄車両の外面に高発泡液剤が落下して付着することは好ましくない。
【０００８】
しかしながら、特許文献１および特許文献２に記載の洗車設備が備える処理装置（散布装置）は、被洗浄車両を跨ぐ高さ位置に複数の噴射ノズルをそなえているので、洗車完了後の被洗浄車両の上に処理装置が位置する場合には、高発泡液剤を散布する噴射ノズルから滴り落ちる高発泡液剤が被洗浄車両の外面に落下して付着して問題となる。
【０００９】
洗車機を設置するスペースが広く、高発泡液剤を散布した後の処理装置が洗車位置から遠く離れた位置に退避できる場合には、噴射ノズルから高発泡液剤が滴り落ちても被洗浄車両の外面に落下して付着する問題は生じないが、通路上に落下して汚してしまい問題となる。
【００１０】
そこで、洗車機本体に加えて、高発泡液剤を散布する散布装置を備えた洗車機を用いて洗車を行う場合には、洗車が完了した被洗浄車両の外面や通路上に高発泡液剤が落下しない構成であることが望ましく、たとえ、噴射ノズルから高発泡液剤が滴り落ちても、被洗浄車両の外面には付着しないことが望ましい。
【００１１】
本発明は、上記問題点に鑑み、洗車機本体と高発泡液剤を散布する散布装置を備えた洗車機において、高発泡液剤を噴射する噴射ノズルから滴り落ちる高発泡液剤が洗車完了後の被洗浄車両の外面に落下しないようにできる洗車機および洗車方法を提供することを目的とする。
【課題を解決するための手段】
【００１２】
上記目的を達成するために本発明は、被洗浄車両を跨ぐ門型の洗車機本体と、被洗浄車両を跨ぐ本体架台に配管部と噴射ノズルを備えた液剤噴射走行体を具備して高発泡液剤散布操作を含む所定の操作を行う散布装置と、を有し、被洗浄車両と前記散布装置を前後方向に相対移動させながら被洗浄車両に高発泡液剤を散布し、被洗浄車両と洗車機本体を前後方向に相対移動させながら被洗浄車両の洗車を行う洗車機であって、前記液剤噴射走行体は洗車機本体を跨いで前後方向に移動可能に構成され、前記散布装置が所定の操作を実行する時は、前記液剤噴射走行体が被洗浄車両を跨いで前後方向に移動して所定の操作を実行し、前記散布装置が所定の操作を実行しない時は、前記液剤噴射走行体は前記噴射ノズルが洗車機本体の上部に在る位置に移動し、洗車機本体が移動する際には洗車機本体と共に移動することを特徴としている。
【００１３】
この構成によると、高発泡液剤散布操作などの所定の操作を実行しない時は、液剤噴射走行体は洗車機本体を跨ぐ位置に移動して洗車機本体と共に移動するので、噴射ノズルから高発泡液剤が滴り落ちても、高発泡液剤は洗車機本体の天井に落下して、被洗浄車両には落下しない。そのために、高発泡液剤が洗車完了後の被洗浄車両の外面に落下しないようにできる洗車機を得ることができる。
【００１４】
また本発明は、上記構成の洗車機において、洗車機本体に前記噴射ノズルから滴り落ちる高発泡液剤を貯留する天板を設けたことを特徴としている。この構成によると、洗車機本体に落下する高発泡液剤を洗車機本体の天板部に貯留できるので、高発泡液剤が洗車機本体から通路や周辺に漏れ出すのを抑制できる。
【００１５】
また本発明は、上記構成の洗車機において、前記散布装置は、前記噴射ノズルから洗浄水を高圧で噴射する高圧スプレー手段を備えて、高圧泡濯ぎ操作を実行可能とされ、高圧泡濯ぎ操作を実施した後は、前記散布装置は洗車機本体を跨ぐ位置に移動して洗車機本体と共に移動することを特徴としている。この構成によると、高圧泡濯ぎ操作を実施した後で、噴射ノズルから洗浄水が滴り落ちても、洗浄水は洗車機本体の天井に落下して、被洗浄車両や通路には落下しない。
【００１６】
また本発明は、上記構成の洗車機において、洗車機本体と前記散布装置とが共に待機位置にあるときは、前記噴射ノズルは洗車機本体の上部に位置していることを特徴としている。この構成によると、洗車開始前に不用意に高発泡液剤を散布しても、洗車機本体の天井に落下して、被洗浄車両や通路には落下しないようにできる。
【００１７】
また本発明は、上記構成の洗車機において、洗車機本体と前記散布装置とが共に洗車完了位置にあるときは、前記噴射ノズルは洗車機本体の上部に位置していることを特徴としている。この構成によると、洗車完了後に、噴射ノズルから高発泡液剤が滴り落ちたり、洗浄水が滴り落ちたりしても、洗車機本体の天井に落下して、被洗浄車両や通路には落下しないようにできる。
【００１８】
また本発明は、被洗浄車両を跨ぐ門型の洗車機本体と、被洗浄車両および洗車機本体を跨ぐ本体架台に配管部と噴射ノズルを備えた液剤噴射走行体を具備して高発泡液剤散布操作を含む所定の操作を行う散布装置と、を有し、被洗浄車両と散布装置を前後方向に相対移動させながら被洗浄車両に高発泡液剤を散布する高発泡液剤散布操作と、被洗浄車両と洗車機本体を前後方向に相対移動させながら被洗浄車両の洗車を行う洗車操作と、を実行する洗車機の洗車方法であって、前記液剤噴射走行体は洗車機本体を跨いで前後方向に移動可能に構成され、前記散布装置が所定の操作を実行する時は、前記液剤噴射走行体が被洗浄車両を跨いで前後方向に移動して所定の操作を実行し、前記散布装置が所定の操作を実行しない時には、前記散布装置を前記噴射ノズルが洗車機本体の上部に在る位置に移動して洗車機本体と共に移動させながら、洗車機本体を用いた洗車操作を実行することを特徴としている。
【００１９】
この構成によると、所定の操作、例えば、高発泡液剤散布操作を実施しない時は、散布装置は洗車機本体を跨ぐ位置に移動して洗車機本体と共に走行移動するので、噴射ノズルから高発泡液剤が滴り落ちても、高発泡液剤は洗車機本体の天井に落下して、被洗浄車両には落下しない。そのために、高発泡液剤が洗車完了後の被洗浄車両の外面に落下しないようにできる洗車方法を得ることができる。
【００２０】
また本発明は、上記構成の洗車方法において、前記散布装置は、噴射ノズルから洗浄水を高圧で噴射する高圧泡濯ぎ操作を実行可能とされ、高圧泡濯ぎ操作を実施した後は、前記散布装置は洗車機本体を跨ぐ位置に移動して洗車機本体と共に移動することを特徴としている。この構成によると、高圧泡濯ぎ操作を実施した後で、噴射ノズルから洗浄水が滴り落ちても、洗浄水は洗車機本体の天井に落下して、被洗浄車両や通路には落下しない洗車方法となる。
【００２１】
また本発明は、上記構成の洗車方法において、洗車機本体と散布装置とが共に待機位置にあるときは、噴射ノズルは洗車機本体の上部に位置し、洗車機本体と散布装置とが共に洗車完了位置にあるときは、噴射ノズルは洗車機本体の上部に位置していることを特徴としている。この構成によると、洗車開始前に不用意に高発泡液剤を散布しても、洗車機本体の天井に落下して、被洗浄車両や通路には落下せず、洗車完了後に、噴射ノズルから高発泡液剤が滴り落ちたり、高圧スプレーから洗浄水が滴り落ちたりしても、洗車機本体の天井に落下して、被洗浄車両や通路には落下しない洗車方法を構築できる。
【発明の効果】
【００２２】
本発明によれば、洗車機本体と高発泡液剤を散布する散布装置を備えた洗車機において、散布装置を用いて行う所定の操作を実施しない時は、散布装置は噴射ノズルが洗車機本体の上部に在る位置に移動して洗車機本体と共に走行移動する構成としたので、高発泡液剤散布操作の後は、高発泡液剤を噴射する噴射ノズルから滴り落ちる高発泡液剤が洗車完了後の被洗浄車両の外面に落下しないようにできる洗車機および洗車方法を得ることができる。
【図面の簡単な説明】
【００２３】
【図１】本発明に係る洗車機の全体構成を示す概略側面図である。
【図２】本発明に係る洗車機の全体構成を示す概略正面図である。
【図３】散布装置の動きを説明する概略平面図である。
【図４】本発明に係る洗車操作中の洗車機本体と噴射ノズルの位置関係を示す概略説明図である。
【図５】本発明に係る洗車操作中の洗車機本体と噴射ノズルの位置関係を示す概略説明図である。
【図６】本発明に係る洗車操作中の洗車機本体と噴射ノズルの位置関係を示す概略説明図である。
【図７】従来の洗車機の全体構成を示す概略側面図である。
【発明を実施するための形態】
【００２４】
以下に本発明の実施形態を図面を参照して説明する。また、同一構成部材については同一の符号を用い、詳細な説明は適宜省略する。
【００２５】
まず、本実施形態に係る洗車機ＷＡの全体構成について図１、図２を用いて説明する。図１は洗車機ＷＡの全体構成を示す概略側面図であり、図２は概略正面図である。図２に示すように本実施形態に係る洗車機ＷＡは、被洗浄車両ＣＡを跨ぐ門型の洗車機本体１と、被洗浄車両ＣＡを跨ぐ本体架台３１に配管部４４と噴射ノズル４３を備えた液剤噴射走行体４０を具備して高発泡液剤散布操作を含む所定の操作を行う散布装置３０と、を有しており、被洗浄車両ＣＡと散布装置３０を前後方向に相対移動させながら被洗浄車両ＣＡに高発泡液剤を散布する高発泡液剤散布操作と、被洗浄車両ＣＡと洗車機本体１を前後方向に相対移動させながら被洗浄車両ＣＡの洗車を行う洗車操作とを実行する。
【００２６】
液剤噴射走行体４０は洗車機本体１を跨いで前後方向に移動可能に構成され、散布装置３０を介して行う高発泡液剤散布操作を含む所定の操作を実行した後は、液剤噴射走行体４０は噴射ノズル４３が洗車機本体１の上部に在る位置に移動して洗車機本体１と共に走行移動するようにしている。
【００２７】
この構成であれば、高発泡液剤散布操作を含む所定の操作を実行しない時は、液剤噴射走行体４０は洗車機本体１を跨ぐ位置に移動して洗車機本体１と共に走行移動するので、噴射ノズル４３から高発泡液剤が滴り落ちても、高発泡液剤は洗車機本体１の天井に落下して、被洗浄車両ＣＡには落下しない。そのために、高発泡液剤が洗車完了後の被洗浄車両ＣＡの外面に落下しないようにできる洗車機ＷＡを得ることができる。
【００２８】
次に、洗車機本体１と散布装置３０の具体的な構成について順に説明する。まず、図２と図７を用いて洗車機本体１について説明する。図７は従来構成の洗車機本体１のみを備える洗車機ＷＢを示す。本実施形態に係る洗車機ＷＡはこの洗車機本体１に散布装置３０を備えた構成であって、洗車機本体１は同様な構成でよいので、この図７を用いて洗車機本体１の詳細な構成について説明する。
【００２９】
図２に示すように、洗車機本体１は左右の対向する２つのスタンド部９０の上端を連結する天井部９１を有して門型に形成される。また、図７に示すように洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００３０】
洗車機本体１の底面には地面に設けられた左右一対のレール２上に配される車輪３が設けられる。これにより、洗車機本体１はレール２上を走行して被洗浄車両ＣＡに対して前後に相対移動するように立設される。
【００３１】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面をブラッシングして洗浄し、布（織布、編布、不織布等）や樹脂繊維から成るブラシ体を放射状に固着して形成される。
【００３２】
サイドブラシ５は左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ体を有している。
【００３３】
洗車機本体１の一方の側方には洗剤やワックス等の各種液剤を貯液する複数の貯液タンク（不図示）を収納するタンク収納部１７が配される。タンク収納部１７の上方には市水及び各貯液タンクからの液剤を電磁弁等を介して分配する分配配管部１８が設けられる。分配配管部１８には第１、第２浄水ノズル１１、１３、第１、第２洗剤ノズル１２、１５、撥水コートノズル１４、ワックスノズル１６が導出される。洗車機本体１の後方には洗浄液や高圧空気を供給する供給部（不図示）が設けられ、分配配管部１８に接続される。洗浄液は市水だけでなく、洗剤やワックス等の各種液剤と混合されてもよい。
【００３４】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００３５】
また、洗車機本体１には被洗浄車両ＣＡを乾燥させる送風ノズルとしてトップ送風ノズル２１とサイド送風ノズル２２とを設けている。洗車機本体１の手前側上部にはトップ送風ノズル２１が設けられ、両側方にサイド送風ノズル２２が設けられる。トップ送風ノズル２１及びサイド送風ノズル２２はブロワ２０からの送風を被洗浄車両ＣＡに対して吹き付けて乾燥させる。
【００３６】
洗車機本体１の前面上部には車両センサ８が設けられている。車両センサ８は光電センサや超音波センサ等から成り、洗車機本体１に進入する被洗浄車両ＣＡを検知し車体の幅方向突出した装備品も検知する。また、洗車機本体１の入り口部には、被洗浄車両ＣＡの車形を検知する車形検知センサ９を設けている。この車形検知センサ９は、透過式光電センサからなるエリアセンサであって、洗車機本体１の一方の側部の上下方向に投光器を併設し、これらの投光器に対向する他方の側部の上下方向に受光器を併設することで、洗浄位置に進入してくる被洗浄車両の車形を検知して、その先端部と後端部およびボンネット高さや車高を検知する。
【００３７】
洗車機本体１の一方の側方の前面には本体パネル７が配される。本体パネル７はリモートパネル７Ａと同様の操作ボタンを備え、被洗浄車両ＣＡから降車したユーザー等の操作により洗車の受け付けや洗車条件の設定を行う。リモートパネル７Ａと本体パネル７は、共に洗車機本体１が備える制御部に電気的に接続されており、リモートパネル７Ａに設定された洗車条件、または、本体パネル７に設定された洗車条件より、洗車機を駆動可能にしている。
【００３８】
洗車条件の設定としてはシャンプー、ワックス掛け、撥水コート等を水洗いに追加するボタン（押しボタン式、タッチパネル式）が本体パネル７及びリモートパネル７Ａに設けられる。また、高級なシャンプー、高級なワックス（例えば、艶出しコーティング）、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００３９】
本実施形態に係る洗車機ＷＡは、上記構成の洗車機本体１に加えて高発泡液剤散布操作を含む所定の操作を実行する散布装置３０を備える。例えば、散布装置３０を介して高発泡液剤を散布して、被洗浄車両ＣＡの表面を高発泡液剤の泡で覆うことにより、その後のブラッシング洗浄する洗車性能を向上し、ショー的効果も発揮する。すなわち、従来構成の洗車機本体１に加えて散布装置３０を併設することにより、洗車性能を向上させ、見る人に実際に良好に洗車していることが強調できるようになる。
【００４０】
次に、図１〜図３を用いて本実施形態に係る散布装置３０について説明する。
【００４１】
散布装置３０は、本体架台３１と、配管部４４と噴射ノズル４３を備えて所定の操作を実行する液剤噴射走行体４０と、を具備する。本体架台３１は、基部３２、支柱３３、上部梁３４を有し、洗車機本体１を跨ぐように設置される。すなわち、洗車機本体１が走行するレール２の外側の洗車機本１を囲む４箇所に基部３２と支柱３３を配設し、この４本の支柱３３を連結するように上部梁３４を設置している。
【００４２】
散布装置３０が行う所定の操作とは、例えば、高発泡液剤散布操作であって、噴射ノズル４３は、被洗浄車両ＣＡの外面全体に高発泡液剤を均一に散布できるように、それぞれが所定の適当な角度に傾斜して設置される複数の噴射ノズル４３ａ〜４３ｆを備えている。また、所定の操作は高圧泡濯ぎ操作を含むことが好ましい。すなわち、散布装置３０は、噴射ノズル４３から洗浄水を高圧で噴射する高圧スプレー手段を備えて、高圧泡濯ぎ操作（高圧スプレー操作）を実行可能とされることが好ましい。
【００４３】
また、高発泡液剤散布操作や高圧泡濯ぎ操作以外の操作を含む構成でもよい。そのために、噴射ノズル４３の構成や設置個数は特には限定されず、それぞれの噴射ノズル４３ａ〜４３ｆから高発泡液剤の散布と高圧スプレー操作が可能な構成でもよく、高発泡液剤の散布と高圧スプレー操作を個別に行う別々のノズルをそれぞれ設ける構成でもよい。
【００４４】
液剤噴射走行体４０は、左側の前後２本の支柱３３、３３の上部、右側の前後２本の支柱３３、３３にそれぞれ取り付けられるガイドレール３５、３５に架け渡されて、駆動軸４１の両端に走行輪４２を装着しており、図示しない駆動源を介して起動軸４１を回転駆動させることによって、ガイドレール３５に沿って、図１の矢印Ｄ２方向に移動可能に構成される。
【００４５】
液剤噴射走行体４０には、走行輪４２の前方側と後方側にそれぞれガイドローラＧＲを設けてガイドレール３５に沿って移動する姿勢を安定させることが好ましい。また、液剤噴射走行体４０には高発泡液剤や洗浄水などを送給するための配管部４４が設けられる。配管部４４は垂直屈曲部４５を介して垂直下方に屈曲して、配管部４４が有する分配ホースから複数の噴射ノズル４３（４３ａ〜４３ｆ）に高発泡液剤や洗浄水などを送給可能とされ、被洗浄車両ＣＡに高発泡液剤を散布することや洗浄水を噴射する（高圧スプレー操作する）ことが可能な構成である。
【００４６】
すなわち、液剤噴射走行体４０は、被洗浄車両ＣＡを跨いで、被洗浄車両ＣＡの前後方向に移動しながら、被洗浄車両ＣＡに向けて高発泡液剤を散布することができる。また、高圧スプレーすることにより高発泡液剤の泡を洗い流す（泡灌ぎする）ことも可能な構成とされる。従って、液剤噴射走行体４０（散布装置３０）は、高発泡液剤散布操作や高圧スプレー操作などの所定の操作を行うことが可能に構成される。
【００４７】
次に図３を用いて配管部４４の一例について説明する。
【００４８】
配管部４４は、所定濃度に希釈され圧縮エアーを混合して生成される高発泡液剤を送給するホースや洗浄水に圧縮エアーを混合して生成される高圧洗浄水を送給するホース、および、これらの高発泡液剤や高圧洗浄水を各噴射ノズルに分配する分配ホースを含む。また、液剤を送給する液剤ホース、洗浄水を送給する洗浄水ホース、圧縮エアーを送給するエアーホースなどを含み、これらを混合して高発泡液剤や高圧洗浄水を生成する混合部に接続され、混合部から所定の高発泡液剤や高圧洗浄水を各噴射ノズルに送給する構成であってもよい。
【００４９】
例えば、配管部４４は、第１配管部４４ａと第２配管部４４ｂを備えており、第１配管部４４ａと第２配管部４４ｂとは屈曲部（第２屈曲部４６）を介して屈曲可能に連結されている。第１配管部４４ａは第１屈曲部４７を経て軸支部４８に連結される。第２配管部４４ｂは前述した垂直屈曲部４５に連結される。
【００５０】
液剤噴射走行体４０が略中央に位置しているときは、第１配管部４４ａと第２配管部４４ｂとが鋭角に屈曲した配管部４４Ｂとなり、液剤噴射走行体４０が図の左端に移動したときには、第１配管部４４ａと第２配管部４４ｂとがほぼ直線状となる配管部４４Ａとなる。また、液剤噴射走行体４０が図の右端に移動したときには、第１配管部４４ａと第２配管部４４ｂとがほぼ直角に屈曲する配管部４４Ｃとなる。
【００５１】
このように、第１配管部４４ａと第２配管部４４ｂとの屈曲姿勢が変わることにより、液剤噴射走行体４０が図の左端から右端まで距離Ｌ１移動したときに、垂直屈曲部４５は移動ラインＣＬに沿って垂直屈曲部４５ａから垂直屈曲部４５ｂまで移動する。
【００５２】
従って、配管部４４が軸支部４８、第１屈曲部４７、第２屈曲部４６、垂直屈曲部４５を介して連結される液剤噴射走行体４０は、被洗浄車両ＣＡの前後方向に距離Ｌ１移動する時に、高発泡液剤や高圧洗浄水を各噴射ノズル４３（４３ａ〜４３ｆ）から噴射可能に構成される。
【００５３】
すなわち、液剤噴射走行体４０（散布装置３０）は、被洗浄車両ＣＡと散布装置３０を前後方向に相対移動させながら被洗浄車両ＣＡに高発泡液剤を散布する高発泡液剤散布操作と、噴射ノズル４３から高圧洗浄水を噴射する高圧泡濯ぎ操作（高圧スプレー操作）と、を含む所定の操作を実行可能とされる。また、所定の操作を実施した後は、散布装置３０は洗車機本体１を跨ぐ位置に移動して洗車機本体１と共に移動するようにしている。
【００５４】
次に、図４〜図６を用いて本実施形態に係る洗車方法について説明する。図４〜図６は、いずれもが本発明に係る洗車操作中の洗車機本体と噴射ノズルの位置関係を示す概略説明図である。
【００５５】
図４（ａ）は洗車開始時における初期の待機位置を示している。すなわち、待機位置において噴射ノズル４３は洗車機本体１の上部に位置している。従って、噴射ノズル４３からの泡漏れや水漏れは、洗車機本体１の天井部にて受け止めて、被洗浄車両ＣＡや通路に落下させない。
【００５６】
図４（ｂ）は、高発泡液剤を散布する洗車条件が選択された際に、高発泡液剤を散布する前に高圧洗浄水を噴射して（高圧スプレー）ブラッシング洗浄する様子を示す。すなわち、洗車開始に伴い噴射ノズル４３は矢印Ｄ２ａ方向に移動しながら高圧スプレーＳＰ１を実行する（高圧スプレー操作）。噴射ノズル４３Ａの後から洗車機本体１が矢印Ｄ１ａ方向に移動しながらブラッシング洗浄する（洗車機本体１Ａ）。
【００５７】
図４（ｃ）は、洗車機本体１Ａによりブラッシング洗浄している最中に、噴射ノズル４３が図の右側の移動端部から反転して矢印Ｄ２ｂ方向に戻っている状態を示す。噴射ノズル４３は洗車機本体１を跨ぐように設置されているので、ブラッシング洗浄している洗車機本体１Ａの上部を移動可能である。
【００５８】
図４（ｄ）は、矢印Ｄ２ｂ方向に移動して被洗浄車両ＣＡを通り越した噴射ノズル４３が矢印Ｄ２ｃ方向に反転して移動しながら高発泡液剤ＡＷ１を散布する様子を示す（高発泡液剤散布操作）。すなわち、被洗浄車両ＣＡに高圧スプレーしてブラッシング洗浄した後から、噴射ノズル４３Ｂを介して高発泡液剤ＡＷ１を散布する。
【００５９】
図４（ｅ）は、矢印Ｄ２ｃ方向に移動しながら高発泡液剤ＡＷ１を散布した後、被洗浄車両ＣＡを通り越した噴射ノズル４３が矢印Ｄ２ｄ方向に反転して移動しながら高発泡液剤ＡＷ２を再び散布し（高発泡液剤散布操作）、その後ろから洗車機本体１Ａがブラッシング洗浄する様子を示す。すなわち、高圧スプレーしてブラッシング洗浄した後、高発泡液剤ＡＷ１の散布を２回（１往復）行い、その後からブラッシング洗浄（泡洗浄）している様子を示す。
【００６０】
この高発泡液剤ＡＷ１の散布や泡洗浄の制御は洗車機本体１が備える制御部を介して行う。つまり、噴射ノズル４３の移動や噴射の制御は、洗車機本体１が備える制御部を介して一体に制御可能に構成されており、洗車機本体１により検知される車両形状や車両位置に応じて、噴射ノズル４３の移動や噴射の制御を行うことが可能である。
【００６１】
続いて図５（ａ）に移る。図５（ａ）は、噴射ノズル４３Ｂが矢印Ｄ２ｄ方向に移動しながら高発泡液剤ＡＷ２を散布し、その後ろから洗車機本体１Ｂがブラッシング洗浄する様子を示す。すなわち、この操作が高発泡液剤を用いた泡洗浄操作となる。
【００６２】
噴射ノズル４３Ｂからの高発泡液剤ＡＷ２の散布を行いながら被洗浄車両ＣＡを通り越したら、噴射ノズル４３Ｂは高発泡液剤ＡＷ２の散布を終了して噴射ノズル４３に戻る。
【００６３】
図５（ｂ）は、泡洗浄が完了して洗車機本体１が図の左端に到達した様子を示す。この位置では、噴射ノズル４３は洗車機本体１の上部に位置している。また、泡洗浄が完了した被洗浄車両ＣＡは、その外面に泡が残留している様子を示す。
【００６４】
図５（ｃ）は、噴射ノズル４３から高圧スプレーを実行して泡濯ぎ（高圧泡濯ぎ操作）し、その後、洗車機本体１を介してワックス掛けや艶出しコーティングを実施する様子を示す。すなわち、高圧スプレーを実行する噴射ノズル４３Ｃを矢印Ｄ２ｅ方向に移動させ、その後ろから洗車機本体１Ｃを矢印Ｄ１ｃ方向に移動させながらワックス掛けや艶出しコーティングを実施する（コーティング操作）。
【００６５】
図５（ｄ）は、洗車機本体１を介してワックス掛けや艶出しコーティングを実施しているときに、噴射ノズル４３が被洗浄車両ＣＡを通り越した後、矢印Ｄ２ｆ方向に反転して戻る様子を示す。これは、反転して戻った噴射ノズル４３からワックス剤や艶出しコーティング剤を散布して２度掛け（ダブルコーティング）を実施するためである。
【００６６】
すなわち、噴射ノズル４３からワックス剤や艶出しコーティング剤を散布できる構成の場合には、洗車機本体１を介してワックス剤や艶出しコーティング剤を噴き付ける第１回コーティング操作に加えて、噴射ノズル４３からワックス剤や艶出しコーティング剤を散布する第２回コーティング操作を実行できる。
【００６７】
図５（ｅ）は、洗車機本体１によるワックス掛けや艶出しコーティング掛けが完了し、矢印Ｄ２ｆ方向に移動する噴射ノズル４３が被洗浄車両ＣＡを通り越して停止した状態を示す。
【００６８】
続いて図６（ａ）に移る。図６（ａ）は、噴射ノズル４３Ｄからワックス剤や艶出しコーティング剤などのコーティング剤ＣＴ１の散布を開始した様子を示す（コーティング操作）。
【００６９】
噴射ノズル４３Ｄからのコーティング剤ＣＴ１の散布が完了すると図６（ｂ）に示す状態となる。この状態から次は乾燥操作が始まる。例えば、洗車機本体１を矢印Ｄ１ｄ方向に移動させながら洗車機本体１が備える乾燥手段を介して乾燥用空気を吹き付けて乾燥する。すなわち、乾燥用空気を吹き付けて乾燥操作を実行する洗車機１を洗車機１Ｄと称する。
【００７０】
また、この乾燥操作を１往復行うこともできる。矢印Ｄ１ｄ方向に移動する洗車機本体１Ｄによる１回目の乾燥操作が終了すると、図６（ｃ）に示す状態となる。この状態から逆の矢印Ｄ１ｅ方向に洗車機本体１Ｅを移動して図６（ｄ）に示す２回目の乾燥操作を実行する。
【００７１】
また、図６（ｂ）に示す１回目の乾燥操作の際に、洗車機本体１Ｄにより乾燥用空気を吹き付ける前に噴射ノズル４３から水を散布して濯ぎを行うこともできる。すなわち、図６（ｂ）に示すように、洗車機本体１Ｄを矢印Ｄ１ｄ方向に移動させる際に濯ぎ水を散布する噴射ノズル４３Ｅを同時に矢印Ｄ２ｈ方向に移動させるとよい。
【００７２】
噴射ノズル４３Ｅからの濯ぎ水の散布と洗車機本体１Ｄによる１回目の乾燥操作が終了すると、図６（ｃ）に示す状態となる。この状態から図６（ｄ）に示す２回目の乾燥操作を実行する際には、所定の操作を行わない噴射ノズル４３は洗車機本体１Ｅの上部に位置した状態を維持しながら、矢印Ｄ２ｊ方向に移動させるとよい。
【００７３】
また、噴射ノズル４３は洗車機本体１（１Ｅ）の上部に位置した状態であればよく、洗車機本体１（１Ｅ）の上面の前端から後端の間のいずれかに位置しておけばよい。この構成であれば、乾燥中の被洗浄車両ＣＡの外面や、乾燥後の被洗浄車両ＣＡの外面に噴射ノズル４３から滴り落ちる液剤や水が落下せず、汚すこともない。
【００７４】
この際に、洗車機本体１に噴射ノズル４３（４３ａ〜４３ｆ）から滴り落ちる高発泡液剤を貯留する天板を設けることが好ましい。この構成であれば、洗車機本体１に落下する高発泡液剤を洗車機本体１の天板部に貯留できるので、高発泡液剤が洗車機本体１から通路や周辺に漏れ出すのを効果的に抑制できる。また、天板に貯留する構成であれば、高発泡液剤の回収操作も容易に行うことが可能になる。
【００７５】
上記したように、本実施形態に係る洗車方法は、被洗浄車両ＣＡと散布装置３０を前後方向に相対移動させながら被洗浄車両ＣＡに高発泡液剤を噴射する高発泡液剤散布操作と、被洗浄車両ＣＡと洗車機本体１を前後方向に相対移動させながら被洗浄車両ＣＡの洗車を行う洗車操作と、を実行する。また、散布装置３０は、高発泡液剤散布操作に加えて噴射ノズル４３から洗浄水を高圧で噴射する高圧泡濯ぎ操作を含む所定の操作を実行可能とされ、所定の操作を実施した後は、散布装置３０は洗車機本体１を跨ぐ位置に移動して洗車機本体１と共に移動することを特徴としている。この構成であれば、所定の操作を実施した後で、噴射ノズル４３から高発泡液剤や洗浄水が滴り落ちても、高発泡液剤や洗浄水は洗車機本体１の天井に落下して、被洗浄車両ＣＡや通路には落下しない洗車方法となる。
【００７６】
上記で説明した各工程の図４（ａ）、図５（ｂ）、図６（ｃ）、図６（ｄ）、図６（ｅ）の各状態において液剤噴射走行体４０は噴射ノズル４３が洗車機本体１の上部に位置するようにして洗車機本体１を跨ぐ位置にいる。また、図６（ｄ）に示すように、所定の操作を実施した後は、液剤噴射走行体４０すなわち散布装置３０は洗車機本体１と共に走行移動することが好ましい。
【００７７】
従って、所定の操作を実施しない時は、散布装置３０は洗車機本体１を跨ぐ位置に移動して洗車機本体１と共に走行移動するので、噴射ノズル４３から高発泡液剤が滴り落ちても、高発泡液剤は洗車機本体１の天井に落下して、被洗浄車両ＣＡには落下しない。そのために、高発泡液剤が洗車完了後の被洗浄車両ＣＡの外面に落下しないようにできる洗車方法を得ることができる。
【００７８】
また、洗車機本体１と散布装置３０とが共に図４（ａ）に示す待機位置にあるときは、散布装置３０の噴射ノズル４３は洗車機本体１の上部に位置し、洗車機本体１と散布装置３０とが共に図６（ｅ）に示す洗車完了位置にあるときは、散布装置３０の噴射ノズル４３は洗車機本体１の上部に位置していることが好ましい。この構成であれば、洗車開始前に不用意に高発泡液剤を噴射しても、洗車機本体１の天井に落下して、被洗浄車両ＣＡや通路には落下せず、洗車完了後に、噴射ノズル４３から高発泡液剤が滴り落ちたり、高圧スプレー洗浄水が滴り落ちたりしても、洗車機本体１の天井に落下して、被洗浄車両ＣＡや通路には落下しない洗車方法を構築できる。
【００７９】
以上、噴射ノズル４３が高発泡液剤以外に高圧洗浄水やコーティング剤や濯ぎ水を散布する構成、すなわち、散布装置３０が複数の操作を行う構成として説明したが、散布装置３０が一つの所定の操作を行う構成であっても、本発明に係る効果を有効に発揮する。例えば、散布装置３０が噴射ノズル４３を介して高発泡液剤のみを散布する構成であれば、高発泡液剤を散布しない時は、散布装置３０は噴射ノズル４３が洗車機本体１の上部に位置するようにして洗車機本体１を跨ぐ位置に移動することにより、洗車後の被洗浄車両ＣＡの外面に高発泡液剤を付着させずに良好な洗車仕上がりを提供できる。
【００８０】
また、散布装置３０が噴射ノズル４３を介して高発泡液剤に加えて高圧洗浄水や発泡コーティング剤などを散布する複数の所定の操作を実行できる構成であれば、所定の操作を実行しない時は、散布装置３０は噴射ノズル４３が洗車機本体１の上部に位置するようにして洗車機本体１を跨ぐ位置に移動することにより、洗車後の被洗浄車両ＣＡの外面に高発泡液剤や洗浄水やコーティング剤を付着させずに良好な洗車仕上がりを提供できる。
【００８１】
上記したように、本発明に係る洗車方法は、被洗浄車両ＣＡを跨ぐ門型の洗車機本体１と、被洗浄車両ＣＡおよび洗車機本体１を跨ぐ本体架台３１に配管部４４と噴射ノズル４３を具備して所定の操作を行う散布装置３０と、を備え、被洗浄車両ＣＡと散布装置３０を前後方向に相対移動させながら被洗浄車両ＣＡに高発泡液剤を散布する高発泡液剤散布操作と、被洗浄車両ＣＡと洗車機本体１を前後方向に相対移動させながら被洗浄車両ＣＡの洗車を行う洗車操作とを有する洗車機の洗車方法である。また、被洗浄車両ＣＡを跨ぐ散布装置３０を用いて行う所定の操作を実行しない時に、散布装置３０を噴射ノズル４３が洗車機本体１の上部に位置するようにして洗車機本体１を跨ぐ位置に移動して洗車機本体１と共に走行移動させながら、洗車機本体１を用いた洗車操作を実行することを特徴としている。
【００８２】
この構成であれば、高発泡液剤散布操作などの所定の操作を実施しない時は、散布装置３０は洗車機本体１を跨ぐ位置に移動して洗車機本体１と共に走行移動するので、噴射ノズル４３から高発泡液剤が滴り落ちても、高発泡液剤は洗車機本体１の天井に落下して、被洗浄車両ＣＡには落下しない。そのために、高発泡液剤が洗車完了後の被洗浄車両ＣＡの外面に落下しないようにできる洗車方法を得ることができる。
【００８３】
また、散布装置３０は、噴射ノズル４３から洗浄水を高圧で噴射する高圧泡濯ぎ操作を実行可能とされ、高圧泡濯ぎ操作を実施した後は、散布装置３０は洗車機本体１を跨ぐ位置に移動して洗車機本体１と同期して走行移動することが好ましい。この構成であれば、高圧泡濯ぎ操作を実施した後で、噴射ノズル４３から洗浄水が滴り落ちても、洗浄水は洗車機本体１の天井に落下して、被洗浄車両ＣＡや通路には落下しない洗車方法となる。
【００８４】
また、上記の洗車方法において、洗車機本体１と散布装置３０とが共に待機位置にあるときは、散布装置３０の噴射ノズル４３は洗車機本体１の上部に位置し、洗車機本体１と散布装置３０とが共に洗車完了位置にあるときは、散布装置３０の噴射ノズル４３は洗車機本体１の上部に位置していることが好ましい。この構成であれば、洗車開始前に不用意に高発泡液剤を散布しても、洗車機本体１の天井に落下して、被洗浄車両ＣＡや通路には落下せず、洗車完了後に、噴射ノズル４３から高発泡液剤が滴り落ちたり、洗浄水が滴り落ちたりしても、洗車機本体１の天井に落下して、被洗浄車両ＣＡや通路には落下しない洗車方法を構築できる。
【００８５】
上記したように、本発明に係る洗車機ＷＡは、被洗浄車両ＣＡを跨ぐ門型の洗車機本体１と、被洗浄車両ＣＡを跨ぐ本体架台３１に配管部４４と噴射ノズル４３を備える液剤噴射走行体４０を具備して高発泡液剤散布操作を含む所定の操作を行う散布装置３０と、を有し、被洗浄車両ＣＡと散布装置３０を前後方向に相対移動させながら被洗浄車両ＣＡに高発泡液剤を散布し、被洗浄車両ＣＡと洗車機本体１を前後方向に相対移動させながら被洗浄車両ＣＡの洗車を行う洗車機ＷＡであって、液剤噴射走行体４０は洗車機本体１を跨いで前後方向に移動可能に構成され、散布装置３０が所定の操作を実行する時は、前記液剤噴射走行体４０が被洗浄車両ＣＡを跨いで前後方向に移動して所定の操作を実行し、散布装置３０が所定の操作を実行しない時は、液剤噴射走行体４０は噴射ノズル４３が洗車機本体１の上部に在る位置に移動し、洗車機本体１が移動する際には洗車機本体１と共に走行移動することを特徴としている。
【００８６】
この構成であれば、高発泡液剤散布操作などの所定の操作を実行しない時は、液剤噴射走行体４０は洗車機本体１を跨ぐ位置に移動して洗車機本体１と共に走行移動するので、噴射ノズル４３から高発泡液剤が滴り落ちても、高発泡液剤は洗車機本体１の天井に落下して、被洗浄車両ＣＡには落下しない。そのために、高発泡液剤が洗車完了後の被洗浄車両ＣＡの外面に落下しないようにできる洗車機ＷＡを得ることができる。
【００８７】
上記したように本発明によれば、洗車機本体と高発泡液剤を散布する散布装置を備えた洗車機において、散布装置を用いて行う所定の操作を実施しない時は、散布装置は噴射ノズルが洗車機本体の上部に在る位置に移動して洗車機本体と共に走行移動する構成としたので、噴射ノズルから滴り落ちる高発泡液剤が洗車完了後の被洗浄車両の外面に落下しないようにできる洗車機および洗車方法を得ることができる。
【産業上の利用可能性】
【００８８】
そのために、本発明に係る洗車機および洗車方法は、給油所などに設置して、多くの利用者が洗車するために、良好な洗車効果やショー的効果が求められる洗車場の洗車機に好適に適用される。
【符号の説明】
【００８９】
１（１Ａ〜１Ｅ）    洗車機本体
７    本体パネル
７Ａ  リモートパネル
３０    散布装置
４０    液剤噴射走行体
４３（４３ａ〜４３ｆ、４３Ａ〜４３Ｅ）    噴射ノズル
４４（４４Ａ〜４４Ｃ）    配管部
ＣＡ    被洗浄車両
ＷＡ    洗車機（本発明の）
ＷＢ    洗車機（従来の）
【図１】
0006264319.tif 000002
【図２】
0006264319.tif 000003
【図３】
0006264319.tif 000004
【図４】
0006264319.tif 000005
【図５】
0006264319.tif 000006
【図６】
0006264319.tif 000007
【図７】
0006264319.tif 000008